(57)【要約】【課題】通常時および災害時において、貯留手段を有効利用することができる排水システムを提供する。【解決手段】排水システム１Ａは、雨水流路切替手段４０Ａと汚水流路切替手段４０Ｂとを備えている。雨水流路切替手段４０Ａは、雨水流入管路１１の下流端および雨水流出管路１２の上流端に接続されると共に貯留手段７０に接続され、雨水流入管路１１から雨水流出管路１２に雨水を流す第１の状態と、雨水流入管路１１から貯留手段７０に雨水を流す第２の状態とに切り替え可能なものである。汚水流路切替手段４０Ｂは、汚水流入管路２１の下流端および汚水流出管路２２の上流端に接続されると共に貯留手段７０に接続され、汚水流入管路２１から汚水流出管路２２に汚水を流す第３の状態と、汚水流入管路２１から貯留手段７０に汚水を流す第４の状態とに切り替え可能なものである。【選択図】図１
2015137470.tif 000002
【特許請求の範囲】
【請求項１】
上流端から雨水が流入する雨水流入管路と、
前記雨水流入管路の下流端に接続された雨水流路切替手段と、
上流端が前記雨水流路切替手段に接続され、下流端から雨水が流出する雨水流出管路と、
上流端が排水設備に接続された汚水流入管路と、
前記汚水流入管路の下流端に接続された汚水流路切替手段と、
上流端が前記汚水流路切替手段に接続され、下流端が下水本管に接続された汚水流出管路と、
前記雨水流路切替手段および前記汚水流路切替手段に接続され、雨水および汚水を貯留する貯留手段と、
を備え、
前記雨水流路切替手段は、前記雨水流入管路から前記雨水流出管路に雨水を流す第１の状態と、前記雨水流入管路から前記貯留手段に雨水を流す第２の状態とに切り替え可能に構成され、
前記汚水流路切替手段は、前記汚水流入管路から前記汚水流出管路に汚水を流す第３の状態と、前記汚水流入管路から前記貯留手段に汚水を流す第４の状態とに切り替え可能に構成されている、排水システム。
【請求項２】
前記貯留手段は、汚水を浄化する浄化手段を備えた浄化槽である、請求項１に記載された排水システム。
【請求項３】
前記浄化手段によって浄化された処理水を前記排水設備に導く返送手段を備えた、請求項２に記載された排水システム。
【請求項４】
前記雨水流路切替手段は、
上方に開口する点検口と、前記雨水流入管路の下流端が接続された雨水流入口と、前記雨水流出管路の上流端が接続された第１雨水流出口と、前記貯留手段が接続された第２雨水流出口と、を有する雨水ます本体と、
前記雨水ます本体に設けられ、前記雨水流入口から前記第２雨水流出口へ雨水が流れないように前記雨水流入口と前記第１雨水流出口とを連通させる第１の切替位置と、前記雨水流入口から前記第１雨水流出口へ雨水が流れないように前記雨水流入口と前記第２雨水流出口とを連通させる第２の切替位置との間で位置変更が可能な雨水切替手段と、を備えた雨水ますである、請求項１から３までの何れか一つに記載された排水システム。
【請求項５】
前記第２雨水流出口は、前記雨水流入口および前記第１雨水流出口よりも低い位置に設けられ、かつ下方に開口し、
前記雨水切替手段は、前記第２雨水流出口に着脱自在に設けられた蓋体である、請求項４に記載された排水システム。
【請求項６】
前記汚水流路切替手段は、
上方に開口する点検口と、前記汚水流入管路の下流端が接続された汚水流入口と、前記汚水流出管路の上流端が接続された第１汚水流出口と、前記貯留手段が接続された第２汚水流出口と、を有する汚水ます本体と、
前記汚水ます本体に設けられ、前記汚水流入口から前記第２汚水流出口へ汚水が流れないように前記汚水流入口と前記第１汚水流出口とを連通させる第３の切替位置と、前記汚水流入口から前記第１汚水流出口へ汚水が流れないように前記汚水流入口と前記第２汚水流出口とを連通させる第４の切替位置との間で位置変更が可能な汚水切替手段と、を備えた汚水ますである、請求項１から５までの何れか一つに記載された排水システム。
【請求項７】
前記第２汚水流出口は、前記汚水流入口および前記第１汚水流出口よりも低い位置に設けられ、かつ下方に開口し、
前記汚水切替手段は、前記第２汚水流出口に着脱自在に設けられた蓋体である、請求項６に記載された排水システム。
【請求項８】
前記雨水流路切替手段が前記第２の状態に切り替えられると、前記汚水流路切替手段は前記第３の状態に切り替えられ、前記雨水流路切替手段が前記第１の状態に切り替えられると、前記汚水流路切替手段は前記第４の状態に切り替えられるように構成された、請求項１から７までの何れか一つに記載された排水システム。
【請求項９】
前記貯留手段は、前記雨水流路切替手段が接続された雨水口と、前記汚水流路切替手段が接続された汚水口とを備え、
前記雨水口は、前記汚水口よりも高い位置に設けられている、請求項１から８までの何れか一つに記載された排水システム。
【発明の詳細な説明】
【技術分野】
【０００１】
本発明は、排水システムに関する。
【背景技術】
【０００２】
従来から、トイレ、風呂、または台所の流し台などの排水設備から下水本管に汚水を排出する排水システムが知られている。この種の排水システムは、排水設備と下水本管とをつなぐ流出管路を備えている。排水設備から流出する汚水は、流出管路を通じて下水本管に排出される。下水本管に排出された汚水は、下水処理場などに流れて処理される。
【０００３】
ところで、大規模な地震または津波などの災害が発生した際、下水本管が破損するおそれがある。下水本管が破損してしまった場合、汚水を適切に処理できないおそれがある。
【０００４】
特許文献１には、排水設備と下水本管とをつなぐ流出管路と、汚水を貯留する貯留手段と、流出管路の汚水を貯留手段へ流すべく汚水の流路を切り替える流路切替手段とを備えた排水システムが開示されている。この排水システムでは、災害時に下水本管が破損した場合、流路切替手段によって汚水の流路を切り替えることで、汚水の排出先を下水本管から貯留手段に変更する。
【先行技術文献】
【特許文献】
【０００５】
【特許文献１】特許第４６７９４１２号公報
【発明の概要】
【発明が解決しようとする課題】
【０００６】
しかしながら、特許文献１に記載された排水システムでは、災害時、排水設備の汚水は貯留手段に排出されるが、通常時、汚水が貯留手段に排出されず、貯留手段の中は空の状態であった。通常時において、貯留手段は使用されていない状態であった。
【０００７】
本発明はかかる点に鑑みてなされたものであり、その目的は、通常時および災害時において、貯留手段を有効利用することができる排水システムを提供することである。
【課題を解決するための手段】
【０００８】
本発明に係る排水システムは、上流端から雨水が流入する雨水流入管路と、前記雨水流入管路の下流端に接続された雨水流路切替手段と、上流端が前記雨水流路切替手段に接続され、下流端から雨水が流出する雨水流出管路と、上流端が排水設備に接続された汚水流入管路と、前記汚水流入管路の下流端に接続された汚水流路切替手段と、上流端が前記汚水流路切替手段に接続され、下流端が下水本管に接続された汚水流出管路と、前記雨水流路切替手段および前記汚水流路切替手段に接続され、雨水および汚水を貯留する貯留手段とを備えている。前記雨水流路切替手段は、前記雨水流入管路から前記雨水流出管路に雨水を流す第１の状態と、前記雨水流入管路から前記貯留手段に雨水を流す第２の状態とに切り替え可能に構成されている。前記汚水流路切替手段は、前記汚水流入管路から前記汚水流出管路に汚水を流す第３の状態と、前記汚水流入管路から前記貯留手段に汚水を流す第４の状態とに切り替え可能に構成されている。
【０００９】
前記排水システムによれば、雨水流路切替手段によって、雨水流入管路に流入する雨水を雨水流出管路に流す第１の状態と、雨水流入管路に流入する雨水を貯留手段に流す第２の状態とに切り替えることができる。また、汚水流路切替手段によって、排水設備から汚水流入管路に流入する汚水を汚水流出管路を介して下水本管に流す第３の状態と、排水設備から汚水流入管路に流入する汚水を貯留手段に流す第４の状態とに切り替えることができる。よって、雨水流路切替手段および汚水流路切替手段によって、貯留手段に雨水を流すか汚水を流すかを適宜選択することができる。例えば、通常時には、雨水流路切替手段によって、雨水を貯留手段に流し、汚水流路切替手段によって、汚水を汚水流出管路を介して下水本管へ流す。一方、災害時には、雨水流路切替手段によって、雨水を雨水流出管路に流し、汚水流路切替手段によって、汚水を貯留手段に流す。このことによって、通常時および災害時であっても、貯留手段を有効利用することができる。
【００１０】
本発明の好ましい一態様によれば、前記貯留手段は、汚水を浄化する浄化手段を備えた浄化槽である。
【００１１】
上記態様によれば、貯留手段内において、浄化手段によって汚水を浄化することができる。よって、浄化した汚水を河川などに放流することができる。
【００１２】
本発明の好ましい他の一態様によれば、前記浄化手段によって浄化された処理水を前記排水設備に導く返送手段を備えている。
【００１３】
上記態様によれば、返送手段によって、浄化された処理水は排水設備に導かれる。よって、その浄化された汚水を再利用することができる。
【００１４】
本発明の好ましい他の一態様によれば、前記雨水流路切替手段は、上方に開口する点検口と、前記雨水流入管路の下流端が接続された雨水流入口と、前記雨水流出管路の上流端が接続された第１雨水流出口と、前記貯留手段が接続された第２雨水流出口と、を有する雨水ます本体と、前記雨水ます本体に設けられ、前記雨水流入口から前記第２雨水流出口へ雨水が流れないように前記雨水流入口と前記第１雨水流出口とを連通させる第１の切替位置と、前記雨水流入口から前記第１雨水流出口へ雨水が流れないように前記雨水流入口と前記第２雨水流出口とを連通させる第２の切替位置との間で位置変更が可能な雨水切替手段と、を備えた雨水ますである。
【００１５】
雨水には、落ち葉や砂などの異物が含まれる場合があり、その異物が雨水流路切替手段に堆積する場合がある。そのため、異物によって、雨水流路切替手段の流路切替機能が損なわれるおそれがある。しかし、上記態様によれば、雨水流路切替手段は、流路切替機能を有する雨水ますによって構成されている。雨水ますは点検口を備えているため、メンテナンスが容易である。よって、雨水ます内に異物が詰まった場合に、点検口から異物を容易に取り除くことができる。したがって、流路切替機能を十分に確保することができ、雨水の流路が切り替えられなくなる事態を回避し易くなる。
【００１６】
本発明の好ましい他の一態様によれば、前記第２雨水流出口は、前記雨水流入口および前記第１雨水流入口よりも低い位置に設けられ、かつ下方に開口している。前記雨水切替手段は、前記第２雨水流出口に着脱自在に設けられた蓋体である。
【００１７】
上記態様によれば、蓋体を第２雨水流出口に装着すると、雨水流入口と第１雨水流出口とが連通し、雨水流入口と第２雨水流出口との連通が遮断される。よって、雨水流入口から雨水ます本体に流入した雨水は、第１雨水流出口から流出し、第２雨水流出口から流出しない。したがって、雨水流入管路に流入した雨水は、雨水流出管路を介して外部へ流れる。一方、蓋体を第２雨水流出口から取り外すと、雨水流入口と第１雨水流出口と第２雨水流出口とが連通する。しかし、第２雨水流出口は、雨水流入口および第１雨水流出口よりも低い位置に設けられている。よって、雨水流入口から雨水ます本体に流入した雨水は、第１雨水流出口から流出するのではなく、第２雨水流出口から流出する。したがって、雨水流入管路に流入した雨水は、貯留手段に流れる。
【００１８】
本発明の好ましい他の一態様によれば、前記汚水流路切替手段は、上方に開口する点検口と、前記汚水流入管路の下流端が接続された汚水流入口と、前記汚水流出管路の上流端が接続された第１汚水流出口と、前記貯留手段が接続された第２汚水流出口と、を有する汚水ます本体と、前記汚水ます本体に設けられ、前記汚水流入口から前記第２汚水流出口へ汚水が流れないように前記汚水流入口と前記第１汚水流出口とを連通させる第３の切替位置と、前記汚水流入口から前記第１汚水流出口へ汚水が流れないように前記汚水流入口と前記第２汚水流出口とを連通させる第４の切替位置との間で位置変更が可能な汚水切替手段と、を備えた汚水ますである。
【００１９】
排水設備から排出される汚水には、トイレットペーパーなどの異物が含まれる場合があり、その異物が汚水流路切替手段に堆積する場合がある。そのため、異物によって、汚水流路切替手段の流路切替機能が損なわれるおそれがある。しかし、上記態様によれば、汚水流路切替手段は、流路切替機能を有する汚水ますによって構成されている。汚水ますは点検口を備えているため、メンテナンスが容易である。よって、汚水ます内に異物が詰まった場合に、点検口から異物を容易に取り除くことができる。したがって、流路切替機能を十分に確保することができ、汚水の流路が切り替えられなくなる事態を回避し易くなる。
【００２０】
本発明の好ましい他の一態様によれば、前記第２汚水流出口は、前記汚水流入口および前記第１汚水流出口よりも低い位置に設けられ、かつ下方に開口している。前記汚水切替手段は、前記第２汚水流出口に着脱自在に設けられた蓋体である。
【００２１】
上記態様によれば、蓋体を第２汚水流出口に装着すると、汚水流入口と第１汚水流出口とが連通し、汚水流入口と第２汚水流出口との連通が遮断される。よって、汚水流入口から汚水ます本体に流入した汚水は、第１汚水流出口から流出し、第２汚水流出口から流出しない。したがって、汚水流入管路に流入した汚水は、汚水流出管路を介して下水本管へ流れる。一方、蓋体を第２汚水流出口から取り外すと、汚水流入口と第１汚水流出口と第２汚水流出口とが連通する。しかし、第２汚水流出口は、汚水流入口および第１汚水流出口よりも低い位置に設けられている。よって、汚水流入口から汚水ます本体に流入した汚水は、第１雨水流出口から流出するのではなく、第２汚水流出口から流出する。したがって、汚水流入管路に流入した汚水は、貯留手段に流れる。
【００２２】
本発明の好ましい他の一態様によれば、前記雨水流路切替手段が前記第２の状態に切り替えられると、前記汚水流路切替手段は前記第３の状態に切り替えられ、前記雨水流路切替手段が前記第１の状態に切り替えられると、前記汚水流路切替手段は前記第４の状態に切り替えるように構成されている。
【００２３】
上記態様によれば、通常時には、雨水流路切替手段を第２の状態に切り替え、汚水流路切替手段を第３の状態に切り替えることにより、貯留手段には雨水が流入するが、汚水は流入しない。一方、災害時には、雨水流路切替手段を第１の状態に切り替え、汚水流路切替手段を第４の状態に切り替えることにより、貯留手段には雨水は流入しないが、汚水は流入する。よって、通常時および災害時の両方において、貯留手段を有効利用することができる。また、災害時に下水本管などが破損した場合であっても、汚水を貯留手段に流すことができるため、トイレ、風呂および台所の流し台などの排水設備を利用することができる。
【００２４】
本発明の好ましい他の一態様によれば、前記貯留手段は、前記雨水流路切替手段が接続された雨水口と、前記汚水流路切替手段が接続された汚水口とを備えている。前記雨水口は、前記汚水口よりも高い位置に設けられている。
【００２５】
汚水は、雨水と比較して、糞尿などの異物が含まれることが多く、汚れている水である。そのため、貯留手段から雨水流路切替手段に汚水が逆流した場合、雨水流路切替手段内に糞尿などの異物が付着したり、臭いが付いてしまうおそれがある。しかし、上記態様によれば、貯留手段の雨水口は汚水口よりも高い位置に設けられているため、貯留手段の汚水が雨水口から雨水流路切替手段に流れにくくすることができる。
【発明の効果】
【００２６】
本発明によれば、通常時および災害時において、貯留手段を有効利用することが可能な排水システムを提供することができる。
【図面の簡単な説明】
【００２７】
【図１】第１実施形態に係る排水システムの平面図である。
【図２】第１実施形態に係る排水システムの側面図である。
【図３】雨水ますおよび汚水ますの平面図である。
【図４】雨水ますおよび汚水ますの正面断面図である。
【図５】雨水ますおよび汚水ますの側面図である。
【図６】蓋体の平面図である。
【図７】蓋体の正面図である。
【図８】蓋体の側面図である。
【図９】浄化槽の正面図である。
【図１０】浄化槽の正面断面図であり、図１のＸ−Ｘ断面における断面図である。
【図１１】第２実施形態に係る排水システムの平面図である。
【図１２】第３実施形態に係る排水システムの側面図である。
【図１３】第４実施形態に係る排水システムの正面図である。
【図１４】他の実施形態に係るますの斜視図である。
【図１５】他の実施形態に係るますの平面図である。
【発明を実施するための形態】
【００２８】
以下、図面を参照しながら、本発明に係る排水システムの各実施形態について説明する。ここで説明される各実施形態は、当然ながら特に本発明を限定することを意図したものではない。また、同じ作用を奏する部材・部位には同じ符号を付し、重複する説明は省略または簡略化する。
【００２９】
＜第１実施形態＞
まず、第１実施形態に係る排水システム１Ａについて説明する。図１は、本実施形態に係る排水システム１Ａを示す平面図である。ここでは、図１の左、右をそれぞれ上流側、下流側とする。排水システム１Ａは、汚水および雨水を排出するシステムである。ここで、「汚水」とは、例えばトイレ、風呂および台所の流し台などから排出される水であり、そのままでは河川に放流させることができないものである。一方、「雨水」は、降雨などの自然現象に起因する水であり、そのまま河川に放流させることができるものである。ここでは、汚水と雨水とを総称して「排水」と呼ぶ。図１に示すように、排水システム１Ａは、雨水管路１０と、汚水管路２０と、流路切替機能を有する雨水ます４０Ａおよび汚水ます４０Ｂと、浄化槽７０とを備えている。
【００３０】
雨水管路１０は、地中に埋設されている。雨水管路１０は、特に図示はしていないが、下流に向かって下方に傾斜している。雨水管路１０は、雨水流入管路１１と雨水流出管路１２とを備えている。雨水流入管路１１には、上流端から雨水が流入する。雨水流入管路１１の下流端は、雨水ます４０Ａの流入口５２Ａに接続されている。雨水流出管路１２は、雨水流入管路１１よりも下流側に設けられている。雨水流出管路１２には、下流端から雨水が流出する。雨水流出管路１２の上流端には、雨水ます４０Ａの第１流出口５３Ａが接続され、雨水流出管路１２の下流端には、側溝１５が接続されている。なお、雨水流出管路１２の下流端に接続されるものは、側溝１５に限定されない。例えば、雨水流出管路１２の下流端には、雨水本管が接続されていてもよい。また、雨水流出管路１２の下流端は、河川などに向けて開放されていてもよい。雨水流出管路１２内には、雨水流出管路１２を点検するためのます１６が設けられている。なお、「管路」とは、水を流通させる通路を意味する。「管路」は、一本の配管によって構成されていてもよく、複数本の配管とそれらを接続する継手とによって構成されていてもよい。
【００３１】
図２は、排水システム１Ａの側面図である。図２に示すように、本実施形態では、雨水管路１０は、雨水ます４０Ａと浄化槽７０とを接続する他の雨水流出管路１３を備えている。他の雨水流出管路１３の上流端は、雨水ます４０Ａの第２流出口５４Ａに接続され、他の雨水流出管路１３の下流端は、浄化槽７０の雨水口７１に接続されている。ここでは、雨水ます４０Ａと浄化槽７０とは、他の雨水流出管路１３を介して間接的に接続されている。
【００３２】
汚水管路２０は、地中に埋設されている。汚水管路２０は、特に図示はしていないが、雨水管路１０と同様に下流に向かって下方に傾斜している。図１に示すように、汚水管路２０は、汚水流入管路２１と汚水流出管路２２とを備えている。汚水流入管路２１には、上流端から汚水が流入する。例えば、汚水流入管路２１の上流端には、トイレ、風呂、または台所の流し台などの排水設備５が接続されている。汚水流入管路２１の下流端には、汚水ます４０Ｂの流入口５２Ｂが接続されている。汚水流出管路２２は、汚水流入管路２１よりも下流側に設けられている。汚水流出管路２２の上流端には、汚水ます４０Ｂの第１流出口５３Ｂが接続され、汚水流出管路２２の下流端には、汚水を汚水処理場（図示せず）に導く下水本管２５が接続されている。汚水流出管路２２内には、公共ます２６が設けられている。
【００３３】
また、本実施形態では、図２に示すように、汚水管路２０は、汚水ます４０Ｂと浄化槽７０とを接続する他の汚水流出管路２３を備えている。他の汚水流出管路２３の上流端には、汚水ます４０Ｂの第２流出口５４Ｂが接続され、他の汚水流出管路２３の下流端には、浄化槽７０の汚水口７２が接続されている。ここでは、汚水ます４０Ｂと浄化槽７０とは、他の汚水流出管路２３を介して間接的に接続されている。
【００３４】
雨水ます４０Ａは、雨水の流路の切り替えが可能なますである。雨水ます４０Ａは、雨水流入管路１１から雨水流出管路１２に雨水を流す状態（第１の状態）と、雨水流入管路１１から浄化槽７０に雨水を流す状態（第２の状態）とに切り替え可能なものである。本実施形態では、雨水ます４０Ａが「雨水流路切替手段」に対応する。
【００３５】
図３は、雨水ます４０Ａの平面図である。図４は、雨水ます４０Ａの正面断面図である。図５は、雨水ます４０Ａの側面図であり、第１流出口５３Ａ側から見た図である。図４に示すように、雨水ます４０Ａは、ます本体４１Ａと蓋体４２Ａとを備えている。図５に示すように、ます本体４１Ａは、上部が拡径した略筒状に形成されている。図４に示すように、ます本体４１Ａの上部には、上方に開口する点検口５１Ａが形成されている。ます本体４１Ａの側部には、側方に開口する流入口５２Ａおよび第１流出口５３Ａが形成されている。ます本体４１Ａの下部には、下方に開口する第２流出口５４Ａが形成されている。図２に示すように、点検口５１Ａには、点検筒５６Ａが接続されている。ここでは、点検筒５６Ａの上端が地面とほぼ同じ高さに配置されるように、雨水ます４０Ａは地中に埋設されている。作業者は、点検筒５６Ａを通じて、ます本体４１Ａの内部を点検することができる。なお、点検筒５６Ａの上端には、蓋５７Ａが配置されている。点検筒５６Ａは、蓋５７Ａによって閉じられている。
【００３６】
図４に示すように、流入口５２Ａは、ます本体４１Ａの側部に設けられている。本実施形態では流入口５２Ａは、配管が挿入される受口であるが、配管に挿入される差口であってもよい。図１に示すように、前述の通り、流入口５２Ａには雨水流入管路１１が接続される。なお、本実施形態では流入口５２Ａには、雨水流入管路１１の一部をなす配管（図示せず）が直接接続されるが、流入口５２Ａに上記配管が他の部材などを介して間接的に接続されていてもよい。
【００３７】
図４に示すように、第１流出口５３Ａは、ます本体４１Ａの側部であって、流入口５２Ａと反対側に配置されている。本実施形態では第１流出口５３Ａは受口であるが、第１流出口５３Ａは差口であってもよい。図１に示すように、前述の通り、第１流出口５３Ａには、雨水流出管路１２が接続される。第１流出口５３Ａには、雨水流出管路１２の一部をなす配管が直接接続されていてもよく、上記配管が他の部材を介して間接的に接続されていてもよい。
【００３８】
図４に示すように、第２流出口５４Ａは、ます本体４１Ａの下部に設けられており、下向きに開口している。第２流出口５４Ａは、流入口５２Ａおよび第１流出口５３よりも低い位置に設けられている。第２流出口５４Ａは、平面視において、流入口５２Ａと第１流出口５３Ａとの間に配置されている。第２流出口５４Ａは、点検口５１Ａの下方に設けられている。図２に示すように、前述の通り、第２流出口５４Ａには、他の雨水流出管路１３が接続されている。第２流出口５４Ａには、他の雨水流出管路１３を介して浄化槽７０が間接的に接続されている。なお、第２流出口５４Ａには、浄化槽７０が直接接続されていてもよい。
【００３９】
図４に示すように、蓋体４２Ａは、ます本体４１Ａ内の雨水の流路を切り替える部材である。本実施形態では、蓋体４２Ａが「雨水切替手段」に対応する。蓋体４２Ａは、流入口５２Ａから第２流出口５４Ａへ雨水が流れないように流入口５２Ａと第１流出口５３Ａとを連通させる切替位置（第１の切替位置）と、流入口５２Ａから第１流出口５３Ａへ雨水が流れないように流入口５２Ａと第２流出口５４Ａとを連通させる切替位置（第２の切替位置）との間で位置変更が可能なものである。蓋体４２Ａは、第２流出口５４Ａに着脱自在に設けられている。蓋体４２Ａが第２流出口５４Ａに装着される（第１の切替位置）と、第２流出口５４Ａは閉鎖される。蓋体４２Ａが第２流出口５４Ａから取り外される（第２の切替位置）と、第２流出口５４Ａは開放される。地表から点検筒５６Ａを通じて蓋体４２Ａを容易に取り外しできるよう、蓋体４２Ａは点検口５１Ａの下方に配置されている。図６は、蓋体４２Ａの平面図である。図７は、蓋体４２Ａの正面図である。図８は、蓋体４２Ａの側面図である。図７に示すように、蓋体４２Ａは、蓋本体６１Ａと、持ち手６２Ａと、嵌合凸部６３Ａとを備えている。
【００４０】
図６に示すように、蓋本体６１Ａは、流入口５２Ａから第１流出口５３Ａへと繋がる流路を形成する底面６５Ａを備えている。図８に示すように、底面６５Ａは、流入口５２Ａの底面および第１流出口５３Ａの底面と滑らかに連続するように、断面略Ｃの字状に形成されている。図６に示すように、持ち手６２Ａは、蓋本体６１Ａの上端から上方に延びるようにして蓋本体６１Ａに設けられている。図８に示すように、持ち手６２Ａは、断面Ｃの字状に形成されている。図７に示すように、嵌合凸部６３Ａは、第２流出口５４Ａを閉塞すべく、第２流出口５４Ａに嵌合可能な部位である。嵌合凸部６３Ａは略円筒状である。本実施形態では、嵌合凸部６３Ａの外周部には、ゴム製のシール部材６４Ａが設けられている。このシール部材６４Ａによって、第２流出口５４Ａと蓋体４２Ａの嵌合凸部６３Ａとの間のシールが図られている。
【００４１】
汚水ます４０Ｂは、汚水の流路の切り替えが可能なますである。図１に示すように、汚水ます４０Ｂは、汚水流入管路２１から汚水流出管路２２に汚水を流す状態（第３の状態）と、汚水流入管路２１から浄化槽７０に汚水を流す状態（第４の状態）とに切り替え可能なものである。本実施形態では、汚水ます４０Ｂが「汚水流路切替手段」に対応する。
【００４２】
本実施形態では、汚水ます４０Ｂは、雨水ます４０Ａと同様の構成をしているため、詳細な説明は適宜省略する。なお、図３〜図８では、汚水ます４０Ｂにおいて雨水ます４０Ａの各部位と同一の部位は、雨水ます４０Ａの各部位の符号の末尾の「Ａ」を「Ｂ」に変更した符号を付している。ただし、雨水ます４０Ａと汚水ます４０Ｂとの構成は必ずしも同一でなくてもよく、異なっていてもよい。
【００４３】
汚水ます４０Ｂの流入口５２Ｂには、汚水流入管路２１の一部をなす配管（図示せず）が直接接続されるが、流入口５２Ｂに上記配管が他の部材などを介して間接的に接続されていてもよい。汚水ます４０Ｂの第１流出口５３Ｂには、汚水流出管路２２の一部をなす配管が直接接続されていてもよく、上記配管が他の部材を介して間接的に接続されていてもよい。汚水ます４０Ｂの蓋体４２Ｂが「汚水切替手段」に対応する。蓋体４２Ｂは、汚水ます４０Ｂの流入口５２Ｂから第２流出口５４Ｂへ汚水が流れないように流入口５２Ｂと第１流出口５３Ｂとを連通させる切替位置（第３の切替位置）と、流入口５２Ｂから第１流出口５３Ｂへ汚水が流れないように流入口５２Ｂと第２流出口５４Ｂとを連通させる切替位置（第４の切替位置）との間で位置変更が可能なものである。蓋体４２Ｂが第２流出口５４Ｂに装着される（第３の切替位置）と、第２流出口５４Ｂは閉鎖される。蓋体４２Ｂが第２流出口５４Ｂから取り外される（第４の切替位置）と、第２流出口５４Ｂは開放される。
【００４４】
雨水ます４０Ａの点検口５１Ａおよび汚水ます４０Ｂの点検口５１Ｂには、識別手段が設けられているとよい。この識別手段は、雨水ます４０Ａおよび汚水ます４０Ｂがどこにあるかを簡単に見付けることができるようにするための手段である。識別手段を設けることにより、例えば暗闇であっても点検口５１Ａ，５１Ｂがどこにあるかを簡単に見付けることができるようになる。雨水ます４０Ａおよび汚水ます４０Ｂと、他のますとを区別することができる。ここでは、識別手段として、点検口５１Ａ，５１Ｂに接続された点検筒５６Ａ，５６Ｂ（図２参照）の上端部、および／または、この点検筒５６Ａ，５６Ｂの上端に配置された蓋５７Ａ，５７Ｂ（図２参照）に、雨水ます４０Ａおよび汚水ます４０Ｂの他の部分に施されている色彩と識別容易な色彩が施されている。この識別手段で用いられる色彩は特に限定されないが、例えば、黄色である。上記色彩は蛍光色であってもよい。例えば、点検筒５６Ａ，５６Ｂの上端部および／または蓋５７Ａ，５７Ｂに、蛍光塗料を塗布してもよい。ただし、上記識別手段は、上述した色彩によるものに限定されない。
【００４５】
浄化槽７０は、雨水流入管路１１に流入した雨水、および、汚水流入管路２１に流入した汚水を貯留する槽である。本実施形態では、浄化槽７０は「貯留手段」に対応する。図９は、浄化槽７０の正面図である。図１０は、浄化槽７０の正面断面図であり、図１のＸ−Ｘ断面における断面図である。図９に示すように、浄化槽７０は地中に埋設されている。図１０に示すように、浄化槽７０は、タンクによって構成されている。浄化槽７０は、内部に密封された空間を有している。浄化槽７０の側面の上部には、雨水口７１および汚水口７２が形成されている。なお、雨水口７１および／または汚水口７２は、浄化槽７０の上面に形成されていてもよい。雨水口７１は、汚水口７２よりも高い位置に設けられている。例えば、雨水口７１は、汚水口７２よりも汚水口７２の高さ方向の長さ分、高い位置に設けられている。ただし、雨水口７１は、汚水口７２と略同じ高さに設けられていてもよいし、汚水口７２よりも低い位置に設けられていてもよい。図２に示すように、前述の通り、雨水口７１には、他の雨水流出管路１３を介して雨水ます４０Ａの第２流出口５４Ａが接続されている。汚水口７２には、他の汚水流出管路２３を介して汚水ます４０Ｂの第２流出口５４Ｂが接続されている。
【００４６】
浄化槽７０は、汚水を浄化することが可能な槽である。浄化槽７０は、汚水を浄化する浄化手段を備えている。浄化手段は特に限定されないが、本実施形態では、浄化手段は浄化槽７０内に投入された微生物である。浄化槽７０は、この微生物によって汚水に含まれる異物を取り除くと共に、汚水の汚れを分解することで汚水を浄化する槽である。例えば、浄化槽７０として以下のような槽が挙げられる。図１０に示すように、浄化槽７０の内部は、側面と底面から立ち上った２つの隔壁７３によって、上流側から下流側に向かって３つの槽に分かれている。浄化槽７０は、３つの槽である嫌気槽７４と、好気槽７５と、沈殿槽７６とを備えている。
【００４７】
嫌気槽７４は、汚水を嫌気処理する槽であり、浄化槽７０内の最上流部分に設けられている。嫌気槽７４には、嫌気性微生物を保持させた嫌気濾床（図示せず）が設けられている。嫌気槽７４では、汚水に含まれる異物を取り除くと共に、酸素を必要としない嫌気性微生物によって汚水の汚れを分解し、汚水を浄化する。なお、ここでは、嫌気槽７４には、嫌気性微生物投入用の孔（図示せず）が形成されている。この孔を通じて、嫌気槽７４内に嫌気性微生物を投入したり、嫌気槽７４から嫌気性微生物を取り除いたりすることができる。
【００４８】
好気槽７５は、汚水を好気処理する槽であり、浄化槽７０内の嫌気槽７４と、沈殿槽７６との間に設けられている。好気槽７５には、好気性微生物を保持させた多数の流動担体（図示せず）が汚水と共に流動できるように収容されている。また、好気槽７５には、内部に空気を送り込むポンプ（図示せず）が設けられている。好気槽７５では、嫌気槽７４から好気槽７５に流入した汚水と上記ポンプから送り込まれた空気とが混ざる。そして、酸素を必要とする好気性微生物によって、汚水はさらに浄化される。なお、ここでは、好気槽７５には、好気性微生物投入用の孔（図示せず）が形成されている。この孔を通じて、好気槽７５内に好気性微生物を投入したり、好気槽７５から好気性微生物を取り除いたりすることができる。
【００４９】
沈殿槽７６は、浄化槽７０内の最下流部分に設けられている。沈殿槽７６は、好気槽７５によって浄化された汚水に含まれる固形物を沈殿させる槽である。本実施形態では、浄化槽７０に流入した汚水は、嫌気槽７４、好気槽７５および沈殿槽７６を順に通過することによって浄化される。
【００５０】
なお、本実施形態では、浄化槽７０に汚水が貯留される際には、浄化槽７０は汚水を浄化する槽として利用されるが、浄化槽７０に雨水が貯留される際には、浄化槽７０は雨水を貯留するための単なる雨水槽として利用される。浄化槽７０を単なる雨水槽として利用する場合、内部に嫌気性微生物または好気性微生物が投入されていると、雨水に嫌気微生物または好気微生物が混ざってしまい、その雨水を河川などに放流すること、または、排水設備５用などの水として利用することができなくなる。よって、浄化槽７０を雨水槽として利用する場合には、浄化槽７０の中の嫌気微生物および好気微生物は取り除かれるとよい。浄化槽７０に汚水を貯留する際に、内部に嫌気微生物および好気微生物が投入されるとよい。
【００５１】
浄化槽７０の下流部分の側面上部には、オーバーフロー管路７７の上流端が接続されている。オーバーフロー管路７７の下流端は、側溝１５に接続されている。ここでは、浄化槽７０に雨水が流入した場合、浄化槽７０内の雨水の水位が上昇してオーバーフロー管路７７との接続部位に達した際、雨水はオーバーフロー管路７７を介して側溝１５に流れる。ただし、オーバーフロー管路７７には、汚水を流さないようにするための封止弁（図示せず）が設けられている。浄化槽７０に汚水が流入した場合、側溝１５に汚水が流れないようにするため、上記封止弁によってオーバーフロー管路７７を封止する。
【００５２】
浄化槽７０の上面の沈殿槽７６の上方に位置する箇所には、鉛直方向に円筒７８が突設されている。円筒７８は、上端が地面と略同一の高さとなるようにして、浄化槽７０の上面に設けられている。作業者は、円筒７８を通じて、浄化槽７０の内部を保守および点検することができる。なお、通常時において、図９に示すように、円筒７８の上部は蓋７９によって閉塞されている。
【００５３】
次に、本実施形態に係る排水システム１Ａの利用方法について説明する。ここでは、通常時、排水システム１Ａでは、雨水は浄化槽７０に排出され、汚水は下水本管２５に排出される。一方、地震または津波などの災害が発生して下水本管２５などが破損したとき、雨水は側溝１５に排出され、汚水は浄化槽７０に排出される。以下の説明では、通常時の利用態様を通常時モードといい、災害時の利用態様を災害時モードということとする。
【００５４】
図１に示すように、通常時モードでは、雨水ます４０Ａの第２流出口５４Ａを塞ぐ蓋体４２Ａ（図４参照）が取り外されており、第２流出口５４Ａが開放された状態である。雨水流入管路１１に流入した雨水は、雨水ます４０Ａの流入口５２Ａからます本体４１Ａに流入する。雨水ます４０Ａの第２流出口５４Ａは開放されているため、ます本体４１Ａに流入した雨水は、第２流出口５４Ａからます本体４１Ａの外へ流出する。第２流出口５４Ａから流出した雨水は、他の雨水流出管路１３を介して浄化槽７０へ排出される。このとき、浄化槽７０は雨水槽として利用され、その内部は嫌気性微生物および好気性微生物が投入されていない状態である。そして、浄化槽７０内に流入した雨水は、水位が浄化槽７０のオーバーフロー管路７７の接続箇所に達した場合、オーバーフロー管路７７を介して側溝１５へ排出される。
【００５５】
また、通常時モードでは、汚水ます４０Ｂの第２流出口５４Ｂは、蓋体４２Ｂ（図４参照）によって塞がれており、閉塞された状態である。汚水流入管路２１に流入した汚水は、汚水ます４０Ｂの流入口５２Ｂからます本体４１Ｂに流入する。ます本体４１Ｂに流入した汚水は、第２流出口５４Ｂを閉塞している蓋体４２Ｂの上方を通り、第１流出口５３Ｂからます本体４１Ｂの外へ流出する。第１流出口５３Ｂから流出した汚水は、汚水流出管路２２を流れ、下水本管２５に排出される。そして、下水本管２５に排出された汚水は、汚水処理場などに導かれ浄化処理される。
【００５６】
災害時モードでは、雨水ます３０Ａの第２流出口５４Ａは蓋体４２Ａによって塞がれ、閉塞される。雨水流入管路１１から流入した雨水は、雨水ます４０Ａの流入口５２Ａからます本体４１Ａに流入する。ます本体４１Ａに流入した雨水は、第２流出口５４Ａを閉塞している蓋体４２Ａの上方を通り、第１流出口５３Ａからます本体４１Ａの外へ流出する。第１流出口５３Ａから流出した雨水は、雨水流出管路１２を流れ、側溝１５に排出される。そして、側溝１５に排出された雨水は、河川などに放流される。
【００５７】
また、災害時モードでは、汚水ます４０Ｂの蓋体４２Ｂが取り外され、第２流出口５４Ｂが開放される。汚水ます４０Ｂの蓋体４２Ｂは、例えば以下のようにして取り外すことができる。まず、図２に示すように、作業者は、点検筒５６Ｂに被せられた蓋５７Ｂを取り外す。次に、作業者は点検筒５６Ｂに手を挿入し、蓋体４２Ｂの持ち手６２Ｂ（図７参照）を持って蓋体４２Ｂを引き上げる。これにより、汚水ます４０Ｂの第２流出口５４Ｂが開放される。なお、持ち手６２Ｂに手が届かないような場合は、例えば先端にフックを有する棒状体などを使用し、上記フックを持ち手６２Ｂに引っ掛けて蓋体４２Ｂを引き上げればよい。
【００５８】
図１に示すように、災害時モードでは、汚水流入管路２１に流入した汚水は、汚水ます４０Ｂの流入口５２Ｂからます本体４１Ｂに流入する。このとき、第２流出口５４Ｂは開放されているため、ます本体４１Ｂに流入した汚水は、第２流出口５４Ｂからます本体４１Ｂの外へ流出する。第２流出口５４Ｂから流出した汚水は、他の汚水流出管路２３を通じて浄化槽７０へ排出される。なお、災害時モードでは、浄化槽７０に雨水が貯留されていた場合、汚水の流路を切り替える前に、例えば、吸引ポンプ（図示せず）によって浄化槽７０内の雨水を吸引して、浄化槽７０内を一度空にするとよい。そして、汚水槽７０の嫌気槽７４に嫌気性微生物を投入し、好気槽７５に好気性微生物を投入する。図１０に示すように、浄化槽７０へ排出された汚水は、嫌気槽７４、好気槽７５および沈殿槽７６を順に通過し、嫌気性微生物および好気性微生物によって浄化される。このとき、浄化槽７０に接続されたオーバーフロー管路７７は、上記封止弁によって閉塞されている。そのため、浄化された汚水（典型的には、処理水）がオーバーフロー管路７７を介して側溝１５へ流れない。浄化槽７０内に汚水がある程度貯留された場合、作業者は、浄化槽７０の上面に設けられた円筒７８の上部を閉塞する蓋７９を取り外し、円筒７８を介して浄化槽７０に吸引ポンプを挿入する。そして、上記吸引ポンプによって、浄化槽７０の沈殿槽７６に溜まった浄化された汚水を外部へ吸い上げる。
【００５９】
以上のように、本実施形態では、図１に示すように、雨水ます４０Ａによって、雨水流入管路１１に流入する雨水を雨水流出管路１２に流す第１の状態と、雨水流入管路１１に流入する雨水を浄化槽７０に流す第２の状態とに切り替えることができる。また、汚水ます４０Ｂによって、汚水流入管路２１に流入する汚水を汚水流出管路２２に流す第３の状態と、汚水流入管路２１に流入する汚水を浄化槽７０に流す第４の状態とに切り替えることができる。ここでは、雨水ます４０Ａが第２の状態に切り替えられると、汚水ます４０Ｂは第３の状態に切り替えられ、雨水ます４０Ａが第１の状態に切り替えると、汚水ます４０Ｂは第４の状態に切り替えられるように構成されている。よって、雨水ます４０Ａおよび汚水ます４０Ｂによって、浄化槽７０に雨水を流すか汚水を流すかを適宜選択することができる。本実施形態では、通常時には、雨水ます４０Ａの第２流出口５４Ａを開放することによって、雨水を浄化槽７０に流し、汚水ます４０Ｂの第２流出口５４Ｂを蓋体４２Ｂによって閉塞することによって、汚水を下水本管２５へ流す。一方、災害時には、雨水ます４０Ａによって雨水の流路を切り替えることで、雨水を雨水流出管路１２に流し、汚水ます４０Ｂによって汚水の流路を切り替えることで、汚水を浄化槽７０に流す。このことによって、通常時および災害時であっても、浄化槽７０を有効利用することができる。また、汚水を浄化槽７０に流すことができるため、災害時に下水本管などが破損した場合であっても、トイレ、風呂および台所の流し台などの排水設備５を利用することができる。
【００６０】
雨水には、落ち葉や砂などの異物が含まれる場合があり、その異物が雨水ます４０Ａに堆積する場合がある。そのため、異物によって、雨水ます４０Ａの流路切替機能が損なわれるおそれがある。しかし、本実施形態では、雨水ます４０Ａは、点検口５１Ａを備えている。そのため、点検口５１Ａを介してメンテナンスが容易である。よって、雨水ます４０Ａ内に異物が詰まった場合に、点検口５１Ａから異物を容易に取り除くことができる。したがって、流路切替機能を十分に確保することができ、雨水の流路が切り替えられなくなる事態を回避し易くなる。
【００６１】
また、本実施形態では、図４に示すように、雨水ます４０Ａの第２流出口５４Ａは、流入口５２Ａおよび第１流出口５３Ａよりも低い位置に設けられ、かつ下方に開口している。雨水ます４０Ａの蓋体４２Ａは、第２流出口５４Ａに着脱自在に設けられている。このことによって、蓋体４２Ａを第２流出口５４Ａに装着すると、流入口５２Ａと第１流出口５３Ａとが連通し、流入口５２Ａと第２流出口５４Ａとの連通が遮断される。よって、雨水ます４０Ａの流入口５２Ａからます本体４１Ａに流入した雨水は、第１流出口５３Ａから流出し、第２流出口５４Ａから流出しない。したがって、このとき、雨水流入管路１１に流入した雨水を雨水流出管路１２を介して側溝１５へ流すことができる。一方、蓋体４２Ａを第２流出口５４Ａから取り外すと、流入口５２Ａと第１流出口５３Ａと第２流出口５４Ａとが連通する。しかし、第２流出口５４Ａは、流入口５２Ａおよび第１流出口５３Ａよりも低い位置に設けられている。よって、流入口５２Ａからます本体４１Ａに流入した雨水は、第１流出口５３Ａから流出するのではなく、第２流出口５４Ａから流出する。したがって、このとき、雨水流入管路１１に流入した雨水を浄化槽７０に流すことができる。
【００６２】
排水設備５から排出される汚水には、トイレットペーパーなどの異物が含まれる場合があり、その異物が汚水ます４０Ｂに堆積する場合がある。そのため、異物によって、汚水ます４０Ｂの流路切替機能が損なわれるおそれがある。しかし、本実施形態では、汚水ます４０Ｂは点検口５１Ｂを備えているため、点検口５１Ｂを介してメンテナンスが容易である。よって、汚水ます４０Ｂ内に異物が詰まった場合に、点検口５１Ｂから異物を容易に取り除くことができる。したがって、流路切替機能を十分に確保することができ、汚水の流路が切り替えられなくなる事態を回避し易くなる。
【００６３】
また、本実施形態では、汚水ます４０Ｂの第２流出口５４Ｂは、流入口５２Ｂおよび第１流出口５３Ｂよりも低い位置に設けられ、かつ下方に開口している。汚水ます４０Ｂの蓋体４２Ｂは、第２流出口５４Ｂに着脱自在に設けられている。蓋体４２Ｂを第２流出口５４Ｂに装着すると、流入口５２Ｂと第１流出口５３Ｂとが連通し、流入口５２Ｂと第２流出口５４Ｂとの連通が遮断される。よって、汚水ます４０Ｂの流入口５２Ｂから流入した汚水は、第１流出口５３Ｂから流出し、第２流出口５４Ｂから流出しない。したがって、このとき、汚水流入管路２１に流入した汚水を汚水流出管路２２を介して下水本管２５へ流すことができる。一方、汚水ます４０Ｂの蓋体４２Ｂを第２流出口５４Ｂから取り外すと、流入口５２Ｂと第１流出口５３Ｂと第２流出口５４Ｂとが連通する。しかし、第２流出口５４Ｂは、流入口５２Ｂおよび第１流出口５３Ｂよりも低い位置に設けられている。よって、流入口５２Ｂから流入した汚水は、第１流出口５３Ｂから流出するのではなく、第２流出口５４Ｂから流出する。したがって、このとき、汚水流入管路２１に流入した汚水を浄化槽７０に流すことができる。
【００６４】
本実施形態では、浄化槽７０に汚水が排出された場合、その汚水を浄化することができる。具体的には、汚水は、浄化槽７０の嫌気槽７４、好気槽７５および沈殿槽７６を順に通過し、浄化手段としての嫌気性微生物および好気性微生物によって、その汚れが取り除かれる。よって、浄化槽７０によって浄化した汚水を河川などに放流することができる。また、災害時には、その浄化した汚水をトイレの糞尿を流す水などとして再利用することができる。
【００６５】
また、本実施形態では、浄化槽７０は、雨水ます４０Ａが間接的に接続された雨水口７１と、汚水ます４０Ｂが間接的に接続された汚水口７２とを備えている。雨水口７１は、汚水口７２よりも高い位置に設けられている。汚水は、雨水と比較して、糞尿などの異物が含まれることが多く、汚れている水である。そのため、浄化槽７０から雨水ます４０Ａまたは他の雨水流出管路１３に汚水が逆流した場合、雨水ます４０Ａまたは他の雨水流出管路１３内に糞尿などの異物が付着したり、臭いが付いたりするおそれがある。しかし、本実施形態では、浄化槽７０の雨水口７１は汚水口７２よりも高い位置に設けられているため、浄化槽７０の汚水が雨水口７１から雨水ます４０Ａまたは他の雨水流出管路１３に流れにくくすることができる。
【００６６】
以上、第１実施形態に係る排水システム１Ａについて説明した。しかし、本発明に係る排水システムは、第１実施形態に係る排水システム１Ａに限らず、他の種々の形態で実施することができる。次に、他の実施形態について簡単に説明する。なお、以下の説明では、既に説明した構成と同様の構成は同じ符号を付し、その説明は省略することとする。
【００６７】
＜第２実施形態＞
第１実施形態では、側溝１５および下水本管２５は、共に浄化槽７０よりも右方（図１では、浄化槽７０の右側）に設けられており、雨水管路１０および汚水管路２０は、共に図１において左右方向に延びていた。しかし、側溝１５および下水本管２５の配置位置、ならびに、雨水管路１０および汚水管路２０の配置位置は特に限定されない。
【００６８】
図１１は、第２実施形態に係る排水システム１Ｂの平面図である。図１１に示すように、側溝１５および下水本管２５は、浄化槽７０を基準として異なる方向に配置されていてもよい。本実施形態では、側溝１５は、浄化槽７０よりも前方に配置され、下水本管２５は、浄化槽７０よりも右方に配置されている。
【００６９】
また、雨水管路１０および汚水管路２０は、共に異なる方向に延びていてもよい。本実施形態では、例えば雨水管路１０は、前後方向に延びており、汚水管路２０は、左右方向に延びている。この場合、平面視において、雨水管路１０と汚水管路２０とは交差している。また、ここでは、雨水ます４０Ａと汚水ます４０Ｂとは、近い位置に設けられている。このことによって、作業者が雨水の流路および汚水の流路を切り替えるとき、移動時間を短縮することができるため、雨水の流路切替作業および汚水の流路切替作業の作業時間を短縮することができる。本実施形態であっても、第１実施形態と同様の効果が得られる。
【００７０】
＜第３実施形態＞
次に、第３実施形態に係る排水システム１Ｃについて説明する。上記各実施形態では、雨水ます４０Ａと浄化槽７０とは、他の雨水流出管路１３を介して間接的に接続されていた。汚水ます４０Ｂと浄化槽７０とは、他の汚水流出管路２３を介して間接的に接続されていた。しかし、第３実施形態に係る排水システム１Ｃでは、雨水ます４０Ａおよび汚水ます４０Ｂは、共に浄化槽７０と直接接続されている。
【００７１】
図１２は、第３実施形態に係る排水システム１Ｃの側面図である。図１２に示すように、浄化槽７０の上面に、雨水口７１および汚水口７２が形成されている。雨水ます４０Ａは、第２流出口５４Ａと雨水口７１とが連通するように、浄化槽７０上に載置されている。また、汚水ます４０Ｂは、第２流出口５４Ｂと汚水口７２とが連通するように、浄化槽７０上に載置されている。
【００７２】
このように、本発明の貯留手段（上記各実施形態では、浄化槽７０）と雨水流路切替手段（上記各実施形態では、雨水ます４０Ａ）および汚水流路切替手段（上記各実施形態では、汚水ます４０Ｂ）との「接続」とは、第３実施形態のように、貯留手段と雨水流路切替手段および汚水流路切替手段とが直接接続されている場合と、第１および第２実施形態のように、貯留手段と雨水流路切替手段および汚水流路切替手段とが間接的に接続されている場合とを含む。
【００７３】
雨水ます４０Ａおよび汚水ます４０Ｂが、共に浄化槽７０と直接接続されることによって、部品点数を削減することができる。よって、コストを削減することができる。
【００７４】
＜第４実施形態＞
次に、第４実施形態に係る排水システム１Ｄについて説明する。図１３は、第４実施形態に係る排水システム１Ｄの正面図である。なお、図１３において、汚水流出管路２２に接続される下水本管１５、雨水管路１０、雨水ます４０Ａ、および、側溝１５は省略されている。図１３に示すように、排水システム１Ｄは、返送手段９０を備えている。返送手段９０は、浄化槽７０の浄化手段によって浄化された汚水（以下、処理水ともいう。）を排水設備５に導くものである。本実施形態では、返送手段９０は、返送ポンプ９１と、返送管路９２とを備えている。返送ポンプ９１は、浄化槽７０内に配置される。返送ポンプ９１の構成は特に限定されないが、本実施形態では、返送ポンプ９１は、水中設置式の水中ポンプである。返送ポンプ９１は、浄化槽７０において浄化された処理水を吸い上げる。返送管路９２は、返送ポンプ９１によって吸い上げられた処理水を排水設備５に導くための管路である。ここでは、返送管路９２は、円筒７８を介して浄化槽７０内に挿入されている。返送管路９１の一端は、返送ポンプ９１に接続されている。返送管路９１の他端は、排水設備５に接続されている。
【００７５】
本実施形態では、災害時において、排水設備５から流出した汚水は、浄化槽７０に排出される。浄化槽７０に排出された汚水は、浄化槽７０の浄化手段によって浄化される。浄化槽７０に汚水がある程度貯留された場合、返送ポンプ９１が接続された返送管路９２を浄化槽７０に挿入する。このとき、返送管路９２の他端は、排水設備５（詳しくは、排水設備５の貯水タンク）に接続する。そして、返送ポンプ９１によって、浄化槽７０内の浄化された処理水を吸い上げる。吸い上げられた処理水は、返送管路９２を通じて排水設備５に流れる。よって、利用者は、この処理水を排水設備５で再利用することができる。
【００７６】
＜他の実施形態＞
上記各実施形態では、雨水の流路を切り替える手段として雨水ます４０Ａが用いられ、汚水の流路を切り替える手段として汚水ます４０Ｂが用いられていた。しかし、図１４に示すように、雨水の流路を切り替える手段と、汚水の流路を切り替える手段とを共に有するます１４０であってもよい。この場合、ます本体１４１の上部には、上方に開口する点検口１５１が形成されている。点検口１５１は、平面視、円形状である。ただし、ここでは、ます１４０は、雨水の流路を切り替える手段と、汚水の流路を切り替える手段とを共に有しているため、作業者が流路を切り替える作業を行う点検口１５１が大きくなることがある。そのため、点検口１５１は、平面視、楕円形状であってもよい。このことによって、作業者が雨水または汚水の流路を切り替え易くなる。ます本体１４１の側部には、側方に開口する雨水流入口１５２Ａ、汚水流入口１５２Ｂ、第１雨水流出口１５３Ａおよび第１汚水流出口１５３Ｂが形成されている。ます本体１４１の下部には、図１５に示すように、下方に開口する第２流出口１５４が形成されている。第２流出口１５４には浄化槽７０が接続される。雨水流入口１５２Ａと第１雨水流出口１５３Ａと第２流出口１５４とは連通しており、雨水流入口１５２Ａには雨水流入管路１１が接続され、第１雨水流出口１５３Ａには雨水流出管路１２が接続される。また、汚水流入口１５２Ｂと第１汚水流出口１５３Ｂと第２流出口１５４とは連通しており、汚水流入口１５２Ｂには汚水流入管路２１が接続され、第１汚水流出口１５３Ｂには汚水流出管路２２が接続される。
【００７７】
また、ます１４０には、第２流出口１５４に着脱自在に設けられた蓋体１４２が設けられている。ここでは、第２流出口１５４は、平面視において略円形状であり、蓋体１４２は、平面視において略半月状である。蓋体１４２には、雨水の流路と汚水の流路とを分けるべく、直線状の端部から上方に立ち上った板１４３が設けられている。蓋体１４２は、図１５のように配置することで、平面視において第２流出口１５４における雨水流入口１５２Ａと第１雨水流出口１５３Ａとの連通部分を塞ぐことができる。このとき、雨水流入口１５２Ａから第２流出口１５４へ雨水が流れないように雨水流入口１５２Ａと第１雨水流出口１５３Ａとが連通すると共に、汚水流入口１５２Ｂから第１汚水流出口１５３Ｂへ汚水が流れないように汚水流入口１５２Ｂと第２流出口１５４とが連通する状態となる。
【００７８】
一方、蓋体１４２は、図１５の状態から点Ｐを軸として１８０度回転させることで、第２流出口１５４における汚水流入口１５２Ｂと第１汚水流出口１５３Ｂとの連通部分を塞ぐことができる。このとき、雨水流入口１５２Ａから第１雨水流出口１５３Ａへ雨水が流れないように雨水流入口１５２Ａと第２流出口１５４とが連通すると共に、汚水流入口１５２Ｂから第２流出口１５４へ汚水が流れないように汚水流入口１５２Ｂと第１汚水流出口１５３Ｂとが連通する状態となる。
【００７９】
かかるます１４０であっても、通常時、雨水を第２流出口１５４から浄化槽７０に排出しつつ、汚水を第１汚水流出口１５３Ｂから下水本管２５に排出することができる。地震または津波などの災害が発生して下水本管２５が破損したとき、蓋体１４２によって雨水および汚水の流路を切り替えることで、雨水を第１雨水流出口１５３Ａから側溝１５に排出しつつ、汚水を第２流出口１５４から浄化槽７０に排出することができる。かかるます１４０において、一つのますで雨水と汚水との流路を切り替えることができるため、切替作業を容易にすることができる。また、部品点数を少なくすることができるため、コストを削減することができる。
【００８０】
＜変形例＞
上記各実施形態では、貯留手段としての浄化槽７０は、内部が３つの槽に分かれていた。しかし、浄化槽７０は、内部が２つの槽に分かれていてもよいし、４つ以上の槽に分かれていてもよい。また、貯留手段は、浄化槽７０ではなくてもよく、内部が複数の槽に分かれていない単純なタンクであってもよい。
【００８１】
また、上記各実施形態では、雨水流路切替手段は流路切替機能を有する雨水ます４０Ａであり、汚水流路切替手段は流路切替機能を有する汚水ます４０Ｂであった。しかし、雨水流路切替手段および／または汚水流路切替手段は、切替弁であってもよい。例えば、雨水流路切替手段が流路切替機能を有する雨水ます４０Ａであり、汚水流路切替手段が切替弁であってもよい。雨水流路切替手段が切替弁であり、汚水流路切替手段が流路切替機能を有する汚水ます４０Ｂであってもよい。
【符号の説明】
【００８２】
１Ａ、１Ｂ、１Ｃ、１Ｄ  排水システム
１１  雨水流入管路
１２  雨水流出管路
２１  汚水流入管路
２２  汚水流出管路
４０Ａ  雨水ます（雨水流路切替手段）
４０Ｂ  汚水ます（汚水流路切替手段）
４１Ａ  ます本体（雨水ます本体）
４１Ｂ  ます本体（汚水ます本体）
４２Ａ  蓋体（雨水切替手段）
４２Ｂ  蓋体（汚水切替手段）
５１Ａ、５１Ｂ  点検口
５２Ａ  流入口（雨水流入口）
５２Ｂ  流入口（汚水流入口）
５３Ａ  第１流出口（第１雨水流出口）
５３Ｂ  第１流出口（第１汚水流出口）
５４Ａ  第２流出口（第２雨水流出口）
５４Ｂ  第２流出口（第２汚水流出口）
７０  浄化槽（貯留手段）
９０  返送手段
９１  返送ポンプ
９２  返送管路
【図１】
2015137470.tif 000003
【図２】
2015137470.tif 000004
【図３】
2015137470.tif 000005
【図４】
2015137470.tif 000006
【図５】
2015137470.tif 000007
【図６】
2015137470.tif 000008
【図７】
2015137470.tif 000009
【図８】
2015137470.tif 000010
【図９】
2015137470.tif 000011
【図１０】
2015137470.tif 000012
【図１１】
2015137470.tif 000013
【図１２】
2015137470.tif 000014
【図１３】
2015137470.tif 000015
【図１４】
2015137470.tif 000016
【図１５】
2015137470.tif 000017